(57)【特許請求の範囲】
【請求項１】
遊技機枠の正面周辺部に設けられた周辺表示部、前記遊技機枠のほぼ中央部に設けられた操作台の下方に位置するとともにこの遊技機の名称を表示するための広告表示部、この遊技機の遊技媒体であるメダルを投入するためのメダル投入部の周辺に設けられるとともにメダルの投入が可能である旨を表示するメダル投入可能表示部、及び、図柄を表示する複数の回転ドラムの各内部に設けられ、各回転ドラムが表示する各図柄を制御された色の光により表示するバックライト表示部のそれぞれに備えられた三原色光源と、
これらの三原色光源の表示を制御する制御装置と、
前記操作台に設けられ、操作されることによって前記制御装置に色選択情報を記憶させる色選択操作部と、
この色選択操作部と同じく前記操作台に設けられ、操作されることによって前記色選択操作部によって操作され記憶された色選択情報を消去する色選択取消操作部とを備え、
前記制御装置は、起動した状態においては、その制御装置の演出プログラムに従った表示色で前記周辺表示部、前記広告表示部、前記メダル投入可能表示部、及び前記バックライト表示部の各三原色光源を表示制御し、起動後の操作により前記色選択操作部が操作された場合には、その操作により選択された色選択情報を記憶するとともに、前記周辺表示部、前記広告表示部、前記メダル投入可能表示部、及び前記バックライト表示部の各三原色光源を前記演出プログラムに優先して選択された表示色で表示制御し、前記色選択取消操作部が操作された場合には、前記色選択情報の記憶を消去して、前記周辺表示部、前記広告表示部、前記メダル投入可能表示部、及び前記バックライト表示部の各三原色光源を前記演出プログラムに従った表示色で表示制御することを特徴とする遊技機。
【請求項２】
前記周辺表示部、広告表示部、メダル投入可能表示部、及び、バックライト表示部のほかに、操作されることにもとづいて遊技開始信号が出力される遊技開始操作部、操作されることにもとづいて図柄停止信号が出力される図柄停止操作部も三原色光源を備え、これら遊技開始操作部、図柄停止操作部の各三原色光源も前記制御装置により表示制御されることを特徴とする請求項１に記載の遊技機。
【請求項３】
三原色光源をＬＥＤにより形成したことを特徴とする請求項１又は請求項２に記載の遊技機。
【請求項４】
三原色光源を電球又は蛍光灯により形成したことを特徴とする請求項１又は請求項２に記載の遊技機。
【請求項５】
遊技機枠の操作台よりも上方にフルカラー液晶の画像表示器を備えたメッセージ表示部を更に備え、このメッセージ表示部も前記色選択操作部、及び、前記色選択取消操作部の操作に応じて前記制御装置により表示制御されることを特徴とする請求項１又は請求項２に記載の遊技機。
【発明の詳細な説明】
【０００１】
【発明の属する技術分野】
本発明は、発光表示に特徴のあるスロットマシンやパチンコ機等の遊技機に関する。
【０００２】
【従来の技術】
特開２０００―１２６３６４号公報にて開示される遊技機の発光表示装置は、遊技機枠の前面に赤色光源・緑色光源・青色光源の三原色光源を有する表示部を設け、三原色光源の何れかを遊技状況に応じて発光させるようになっている。
【０００３】
【発明が解決しようとする課題】
しかし、前記従来例では、遊技状況に応じて三原色光源の何れかを発光させるように電気的に制御する構造であるため、三原色光源の発光に遊技者或いはホールの好みを反映させることができず、遊技性に欠けるという問題点があった。
【０００４】
そこで、本発明は遊技者或いはホールの意思を尊重した三原色光源の発光を適切に行うことにより、遊技性を向上することができる遊技機を提供するものである。
【０００５】
【課題を解決するための手段】
本発明の遊技機は、遊技機枠（１）の正面周辺部に設けられた周辺表示部（１３）、前記遊技機枠（１）のほぼ中央部に設けられた操作台（４）の下方に位置するとともにこの遊技機の名称を表示するための広告表示部（２５）、この遊技機の遊技媒体であるメダルを投入するためのメダル投入部（３１）の周辺に設けられるとともにメダルの投入が可能である旨を表示するメダル投入可能表示部（３２）、及び、図柄を表示する複数の回転ドラムの各内部に設けられ、各回転ドラムが表示する各図柄を制御された色の光により表示するバックライト表示部（４１）のそれぞれに備えられた三原色光源（６５，７５，６１，４２）と、これらの三原色光源（６５，７５，６１，４２）の表示を制御する制御装置（５１）と、前記操作台（４）に設けられ、操作されることによって前記制御装置（５１）に色選択情報を記憶させる色選択操作部（３３）と、この色選択操作部（３３）と同じく前記操作台（４）に設けられ、操作されることによって前記色選択操作部（３３）によって操作され記憶された色選択情報を消去する色選択取消操作部（３４）とを備え、前記制御装置（５１）は、起動した状態においては、その制御装置（５１）の演出プログラムに従った表示色で前記周辺表示部（１３）、前記広告表示部（２５）、前記メダル投入可能表示部（３２）、及び前記バックライト表示部（４１）の各三原色光源（６５，７５，６１，４２）を表示制御し、起動後の操作により前記色選択操作部（３３）が操作された場合には、その操作により選択された色選択情報を記憶するとともに、前記周辺表示部（１３）、前記広告表示部（２５）、前記メダル投入可能表示部（３２）、及び前記バックライト表示部（４１）の各三原色光源（６５，７５，６１，４２）を前記演出プログラムに優先して選択された表示色で表示制御し、前記色選択取消操作部（３４）が操作された場合には、前記色選択情報の記憶を消去して、前記周辺表示部（１３）、前記広告表示部（２５）、前記メダル投入可能表示部（３２）、及び前記バックライト表示部（４１）の各三原色光源（６５，７５，６１，４２）を前記演出プログラムに従った表示色で表示制御することを特徴とする。これにより、例えば遊技者やホール側が、遊技機の操作台に設けられた色選択操作部を操作して三原色光源の何れか又はその組合わせを好みに合わせて発光させることができるとともに、その遊技機の色合いを遊技者又はホールの好みに合わせて表示演出することが可能となる。しかも、色選択操作部と同じ操作台に色選択取消操作部を設けて、色選択取消操作部の操作により取消操作が行われたら色選択操作部による操作を取り消して遊技機本来の演出プログラムに従った表示色での表示制御に容易に戻すことができるようにした。
また、前記周辺表示部（１３）、広告表示部（２５）、メダル投入可能表示部（３２）、及び、バックライト表示部（４１）のほかに、操作されることにもとづいて遊技開始信号が出力される遊技開始操作部（３５）、操作されることにもとづいて図柄停止信号が出力される図柄停止操作部（３６）も三原色光源（７９，７４）を備え、これら遊技開始操作部（３５）、図柄停止操作部（３６）の各三原色光源（７９，７４）も前記制御装置（５１）により表示制御されることも特徴とする。
三原色光源をＬＥＤにより形成したことも特徴とする。これにより、光源の耐震性を向上することができる。
三原色光源を電球又は蛍光灯により形成したことも特徴とする。これにより、一つの光源が受け持つ発光領域が広くなる。
また、遊技機枠（１）の操作台（４）よりも上方にフルカラー液晶の画像表示器を備えたメッセージ表示部（２１）を更に備え、このメッセージ表示部（２１）も前記色選択操作部（３３）、及び、前記色選択取消操作部（３４）の操作に応じて前記制御装置（５１）により表示制御されることを特徴とする。
【０００６】
【発明の実施の形態】
図１〜図３は一実施形態であって、図１は重要要素を模式的に示し、図２はメダル式のスロットマシンの正面を示し、図３は制御系統を模式的に示す。
【０００７】
図１を参照し、本実施形態の重要要素について説明する。本実施形態の重要要素として、色選択操作部３３、色選択取消操作部３４、制御装置５１、遊技機枠１の正面周辺部に設けられた周辺表示部１３、周辺光源６５、遊技機枠１のほぼ中央部に設けられた操作台４の下方に位置するとともにこの遊技機の名称を表示するための広告表示部２５、広告光源７５、遊技機がスロットマシンである場合にその遊技媒体であるメダル投入部３１の周辺に設けられるとともにメダルの投入が可能である旨を表示するメダル投入可能表示部３２、メダル投入可能光源６１、バックライト表示部４１、バックライト光源４２を備える。色選択操作部３３は遊技者による光の三原色における赤色光源・緑色光源・青色光源の単独発光色又は混合発光色の選択操作と選択操作結果の設定操作とが可能であって、色選択操作部３３が遊技者で設定操作されると、図３に示す色選択スイッチ５８が制御装置５１に色選択信号を出力する。周辺光源６５、広告光源７５、メダル投入可能光源６１、バックライト光源４２は赤色光源・緑色光源・青色光源の三原色光源により形成される。三原色光源は例えばＬＥＤ、液晶、電球又は蛍光灯等、適宜選択される発光素子の何れかにより形成されるが、例えば、ＬＥＤの場合は赤色ＬＥＤ素子・緑色ＬＥＤ素子・青色ＬＥＤ素子が１つのまとまりとして単一器殻に格納された形態、赤色ＬＥＤ素子・緑色ＬＥＤ素子・青色ＬＥＤ素子が別々の器殻に収められた形態でもよく、電球又は蛍光灯の場合は器殻のガラスがそれぞれの色ガラスで形成された形態、透明又は半透明の器殻の外側にそれぞれの色を有する光透過性フィルム又は光透過性パネルを配置した形態でもよい。これら光透過性フィルム又は光透過性パネルは周辺表示部１３、広告表示部２５、メダル投入可能表示部３２、バックライト表示部４１が備える形態でもよい。色選択取消操作部３４が遊技者で操作されることによって、図３に示す色選択取消スイッチ５９が色選択取消信号を制御装置５１に出力する。
【０００８】
そして、制御装置５１が起動した状態においては、その制御装置５１の演出プログラムに従った表示色で周辺光源６５、広告光源７５、メダル投入可能光源６１及びバックライト光源４２を表示している。遊技者或いはホール関係者が色選択操作部３３を操作すると、色選択スイッチ５８が色選択操作信号を制御装置５１に出力し、制御装置５１が色選択操作信号に相当する色選択情報を記憶するとともに、周辺光源６５、広告光源７５、メダル投入可能光源６１及びバックライト光源４２をその遊技者が選択した色で表示させる。その状態において、スロットマシンの遊技の進行に伴い、制御装置５１が小当たり、ビッグボーナス、レギュラーボーナス、リプレイなどの遊技者に有利な遊技に対する光演出を実行する際に、ステップ１０１における判定結果がＹＥＳであることから、ステップ１０２で優先演出手段５０ａが演出プログラムに優先して出力機器を動作させる。この優先演出手段５０ａによる出力機器の動作について述べると、周辺光源６５、広告光源７５、メダル投入可能光源６１及びバックライト光源４２は、それぞれの光源における赤色光源・緑色光源・青色光源中の色選択操作信号に対応した三原色光源が制御装置５１の演出プログラムに従って単色又は２色以上の組合わせを伴って点灯・点滅・消灯の動作を行う。また、遊技者が色選択取消操作部３４を操作すると、制御装置５１が色選択情報の記憶を消去する。制御装置５１の色選択情報の記憶が消去された状態においては、スロットマシンの遊技の進行に伴い、制御装置５１が小当たり、ビッグボーナス、レギュラーボーナス、リプレイなどの遊技者に有利な遊技に対する光演出を実行する際に、ステップ１０１における判定結果がＮＯであるから、ステップ１０３で制御装置５１が制御装置５１に組み込まれたマイクロコンピュータのプログラムで設定された三原色光源が演出プログラムに従った点灯・点滅・消灯の動作を行う。尚、本実施形態では、三原色光源を用いたものとして上記のほか遊技開始操作部３５の遊技開始操作部光源７９、図柄停止操作部３６の図柄停止光源７４があるが、これらの光源７４；７９も色選択操作部３３の操作とともに変更表示させてもよい。更にはメッセージ表示部２１も色選択操作部３３の操作に応じて赤系統、緑系統、青系統等の画像表示に切換えてもよい。
【０００９】
図２を参照し、スロットマシンの前面構成について説明する。スロットマシンの遊技機枠１は前面にヒンジ２で横方向前側に片開き可能に取り付けられた可動枠である前面化粧体３を備える。前面化粧体３は操作台４よりも上方に図柄視認領域５、メダル投入数表示部６、ドラム照明表示部１１、確定予告表示部１２、アーチ状の周辺表示部１３、遊技開始表示部１４、払出数表示部１５、残りゲーム数表示部１６、予納（クレジット）数表示部１７、再遊技（リプレイ）表示部１８、中高音放出孔部１９、フルカラー液晶の画像表示器を備えたメッセージ表示部２１、レギュラーボーナス作動表示部（ＲＢ作動表示部）２２及びバックライト表示部４１を備え、操作台４よりも下方に広告表示部２５、灰皿２６、メダル受皿２７を備える。操作台４は図柄視認領域５、メダル投入数表示部６、ドラム照明表示部１１、確定予告表示部１２、遊技開始表示部１４、払出数表示部１５、残りゲーム数表示部１６、予納数表示部１７、再遊技表示部１８、メッセージ表示部２１、レギュラーボーナス作動表示部２２等よりも前側に突出する横長な棚形状であって、上面に賭数操作部２８、最大賭数操作部２９、清算操作部３０、メダル投入部３１、メダル投入可能表示部３２を備え、前面（遊技者と対応する面）に色選択操作部３３、色選択取消操作部３４、ＬＥＤ三原色光源によって表示される遊技開始操作部光源７９を備えた遊技開始操作部３５、同じくＬＥＤ三原色光源によって表示される図柄停止光源７４を備えた図柄停止操作部３６を備える。メダル受皿２７には重低音放出孔部３９を備える。遊技機枠１の内部には遊技主体たる図柄表示装置４０が格納され、図柄表示装置４０の図柄が前面化粧体３の前側より図柄視認領域５を通して視認し得るようになっている。図柄表示装置４０は３個の回転ドラムを有し、各回転ドラムは３個の図柄を表示する。各回転ドラムは内部にバックライト光源４２を備え、制御装置５１によって制御された色の光により各図柄をバックライト表示部４１上で表示演出する。
【００１０】
図３を参照し、制御系統について説明する。制御系統は図２の遊技機枠１の内部に格納された制御装置５１を備え、制御装置５１に対する入力機器としてメダル検出器５２、賭数スイッチ５３、最大賭数スイッチ５４、清算スイッチ５５、遊技開始スイッチ５６、図柄停止スイッチ５７、色選択スイッチ５８、色選択取消スイッチ５９を備え、制御装置に対する出力機器としてバックライト光源４２、メダル投入数可能光源６１、メダル投入数光源６２、ドラム照明光源６３、確定予告光源６４、周辺光源６５、遊技開始光源６６、払出数表示器６７、残りゲーム数表示器６８、予納数表示器６９、再遊技光源７０、賭数光源７１、最大賭数光源７２、レギュラーボーナス作動光源（ＲＢ作動光源）７３、図柄停止光源７４、広告光源７５、中高音スピーカ７６、重低音スピーカ７７、メッセージ表示器７８及び遊技開始操作部光源７９を備える。メダル検出器５２は遊技者によってメダル投入部３１に投入されたメダルを検出したメダル検出信号を出力し、賭数スイッチ５３は賭数操作部２８が遊技者に操作されることによって賭数信号を出力し、最大賭数スイッチ５４は最大賭数操作部２９が遊技者に操作されることによって最大賭数信号を出力し、清算スイッチ５５は清算操作部３０が遊技者に操作されることによって清算信号を出力し、遊技開始スイッチ５６は遊技開始操作部３５が遊技者に操作されることによって遊技開始信号を出力し、図柄停止スイッチ５７は図柄停止操作部３６が遊技者に個別に操作されることによって図柄停止信号を個別に出力し、色選択スイッチ５８は色選択操作部３３が遊技者に操作されることによって色選択信号を出力し、色選択取消スイッチ５９は色選択取消操作部３４が遊技者に操作されることによって色選択取消信号を出力する。
【００１１】
制御装置５１は内部に格納されたマイクロコンピュータを動作するプログラムによりメダル取込、遊技開始、図柄変動・確定、賞品払出、光や音による演出等の遊技に関連する全ての処理を実行する。具体的には、▲１▼制御装置５１が電気的に起動して初期表示信号をメダル投入可能光源６１とメッセージ表示器７８とドラム照明光源６３に出力する。これによって、メダル投入可能光源６１がメダル投入可能表示部３２を照明し、メッセージ表示器７８がメッセージ表示部２１に初期表示を行い、バックライト光源４２が図柄表示装置４０の各回転ドラムに表示されている各図柄を内部からバックライト表示部４１に表示し、ドラム照明光源６３がドラム照明表示部１１を照明する。その状態において、遊技者がメダルをメダル投入部３１に投入すると、メダル検出器５２が投入されたメダルを検出した信号を制御装置５１に出力し、制御装置５１がメダル検出器５２から検出メダル信号を計数（カウントアップ）し、その計数値を投入メダル数として記憶し、その記憶投入メダル数が最大賭数を越えると、それ以上の記憶投入メダル数を予納数（クレジット数）として記憶し、その記憶予納数に相当する予納数表示信号を３個の７セグメント表示器のような予納数表示器６９に出力する。これによって、予納数表示器６９が予納数表示部１７に記憶予納数を数値表示する。
【００１２】
▲２▼その後、遊技者が賭数操作部２８を操作すると、賭数操作部２８の操作でオン動作した賭数スイッチ５３が賭数信号を制御装置５１に出力し、制御装置５１が賭数処理を実行する。その賭数処理により、制御装置５１が賭数に相当するメダル数を▲１▼項の記憶投入メダル数または予納数より減算し、その演算が成立した後に、賭数表示信号を賭数光源７１に出力する。これによって、賭数光源７１が賭数を表示する。また、賭数に相当するメダル数が予納数より減算された場合、制御装置５１は減算された予納数に相当する信号を予納数表示器６９に出力する。メダル投入数表示部６は図１の図柄視認領域５の左横に沿い縦一列に配置され、メダル投入数光源６２がメダル投入部３１に投入されたメダル投入数または賭数操作部２８や最大賭数操作部２９の操作に応じて、制御装置５１に記憶された記憶投入メダル数に相当する投入メダル数表示信号をＬＥＤ又は電球のようなメダル投入数光源６２に出力する。これによって、記憶投入メダル数に相当する個数のメダル投入数光源６２が点灯してメダル投入数表示部６と有効として扱われる当たりラインを発光とする。
【００１３】
例えば、メダル投入数が「１」又は賭数操作部２８の操作により真中の１個のメダル投入数表示部６におけるメダル投入光源６２が発光して図柄視認領域５の上下方向真中の横一列を有効な当たりラインであることを表示し、メダル投入数が「２」であれば真中の１個とそれに隣接する上下２個の合計３個のメダル投入数表示部６におけるメダル投入光源６２が発光して図柄視認領域５の上中下の横三列を有効な当たりラインであることを表示し、メダル投入数が「３」又は最大賭数操作部２９の操作により全部のメダル投入数表示部６におけるメダル投入光源６２が発光して図柄視認領域５の上中下斜めの横三列及び対角線の二列の全部を有効な当たりラインであることを表示する。
【００１４】
▲３▼遊技者が▲２▼項を行うか、又は、遊技者が▲２▼項を行わずに、遊技者が遊技開始操作部３５を操作すると、遊技開始操作部３５の操作でオン動作した遊技開始スイッチ５６が遊技開始信号を制御装置５１に出力し、制御装置５１が遊技処理を実行すると共に遊技開始表示信号を遊技開始光源６６に出力する。これによって、図柄表示装置４０の図柄が変動する遊技を始めると共に遊技開始光源６６が遊技開始表示部１４を照明する。遊技処理は抽選処理と図柄駆動処理及び演出処理に大別される。抽選処理は制御装置５１が遊技開始信号の入力されたタイミングで乱数カウンタの値を決定し、その決定乱数値を制御装置５１に設定された当たり外れ知識データに照合し、当たり外れ知識データより当たり外れタイミングを抽出し、抽出した当たり外れタイミングを記憶する処理である。図柄駆動処理は制御装置５１が図柄表示装置４０の図柄モータ８１を回転駆動する処理である。図柄モータ８１が回転駆動することで、図柄表示装置４０の図柄表示体が回転し、図柄表示体に描かれた図柄が例えば上から下に回転する。この回転している図柄表示体に描かれた図柄を図柄視認領域５を通して遊技者が見ることで、遊技者は図柄が例えば上から下に順次変動しているように認識できる。演出処理は制御装置５１がバックライト光源４２、ドラム照明光源６３、確定予告光源６４、周辺光源６５、再遊技光源７０、レギュラーボーナス作動光源７３、広告光源７５、メッセージ表示器７８等の遊技演出表示器や、中高音スピーカ７６、重低音スピーカ７７等の遊技演出音響器を動かす処理である。
【００１５】
▲４▼図柄が変動中において、遊技者が図柄停止操作部３６を操作すると、図柄停止操作部３６の操作でオン動作した図柄停止スイッチ５７が図柄停止信号を制御装置５１に出力し、制御装置５１が図柄停止処理を実行する。図柄停止処理は最終停止以前処理と最終停止処理とに大別される。最終停止以前処理は遊技者が複数の図柄停止操作部３６のうちで最後に操作される以外の図柄停止操作部３６を操作するごとに、制御装置５１が図柄モータ８１を停止すると共に図柄停止操作に相当する図柄停止表示信号を図柄停止光源７４に出力する。これによって、図柄停止光源７４が図柄停止操作部を照明する。
【００１６】
実施形態のように、図柄停止操作部３６が３個存在する場合は、遊技者が図柄停止操作部３６を２個まで操作するごとに、制御装置５１が図柄停止信号の入力タイミングで図柄モータ８１を停止する。最終停止処理は遊技者が最後の１つの図柄停止操作部３６を操作した場合に実行される処理であって、最終停止以前処理でリーチになっている場合となっていない場合とに分かれる。リーチになっている場合の最終停止処理は制御装置５１が図柄停止信号の入力タイミングを記憶当たり外れタイミングと比較し、当たりか外れかを決定する。具体的には、図柄停止信号入力タイミングが記憶当たりタイミングの範囲であれば、最後に停止する図柄を当たりとなるように停止し、３つの図柄が揃い、当たりになる。逆に、図柄停止信号入力タイミングが記憶当たりタイミングの範囲外（外れタイミングの範囲）であれば、最後停止図柄が外れとなるように停止し、最後停止図柄がリーチになっている図柄とは別の図柄で停止し、３つの図柄が揃わず、外れになる。リーチになっていない場合の最終停止処理は最終停止以前処理と同じ処理である。
【００１７】
本実施形態の構造によれば、スロットマシンの小当たり、ビッグボーナス、レギュラーボーナス、リプレイなどの遊技者に有利な遊技に対する周辺表示部１３の周辺光源６５、広告表示部２５の広告光源７５、メダル投入可能表示部３２のメダル投入可能光源６１による光演出は、遊技者又はホール側が色選択操作部３３を操作した場合に、その操作に応じた赤色光源・緑色光源・青色光源からなる三原色光源のうちの少なくとも１つ、又は２つ以上の混合された光で行われる。
【図面の簡単な説明】
【図１】  実施形態の重要要素構成を示す模式図。
【図２】  実施形態のスロットマシンを示す正面図。
【図３】  実施形態の制御系統を示す模式図。
【符号の説明】
１３  周辺表示部、３３  色選択操作部、３４  色選択取消操作部、３５  遊技開始操作部、３６  図柄停止操作部、４１  バックライト表示部、４２  バックライト光源（三原色光源）、５０ａ  優先演出手段、５１  制御装置、６１  メダル投入可能光源（三原色光源）、６５  周辺光源（三原色光源）、７４  図柄停止光源（三原色光源）、７５  広告光源（三原色光源）、７９  遊技開始操作部光源（三原色光源）。
【図１】
0004217014.tif 000002
【図２】
0004217014.tif 000003
【図３】
0004217014.tif 000004